(57)【要約】【課題】  着信転送機能のための通話装置及び方法を提供する。【解決手段】  有線または無線電話加入者が遠隔地でも着信番号の速い転送あるいは変更を可能にする通話装置及び方法に係り、外部電話機からの呼出しによって電話に応答した後、発信者が正当なユーザであるか否かを確認した後、発信者から着信転送される電話番号を受信し、受信した着信転送用電話番号と共に着信転送要求信号を交換機に出力することによって、遠隔地でも着信転送の設定を行える。【選択図】  図１
2005167982.tif 000002
【特許請求の範囲】
【請求項１】
着信転送される電話番号及びユーザパスワードを保存するメモリと、
外部電話機から受信された番号を認識するＤＴＭＦ認識部と、
発信者にパスワードの入力を要求して前記発信者から受信されたパスワードが前記メモリに保存されたものと同じであるかを確認した後、前記発信者から着信転送される電話番号を受信して前記メモリに保存する制御部と、
前記メモリに保存された着信転送用電話番号と共に着信転送要求信号を交換機に出力する着信転送部と、を含むことを特徴とする通話装置。
【請求項２】
外部電話機からの呼出しによって電話に応答する段階と、
発信者が正当なユーザであるかを確認する段階と、
前記発信者から着信転送用として使われる電話番号を受信する段階と、
前記受信した着信転送用電話番号と共に着信転送要求信号を交換機に出力する段階と、を含むことを特徴とする着信転送方法。
【請求項３】
ユーザ確認段階は、
通話が設定されれば、所定時間以内にパスワードの入力を要求して予め保存されたものと同じであるかを確認することを特徴とする請求項２に記載の着信転送方法。
【発明の詳細な説明】
【技術分野】
【０００１】
本発明は電話着信転送サービスに係り、特に、有線または無線電話加入者が遠隔地にある第３の電話機を利用して着信番号を設定変更できる着信転送設定機能を有する通話装置及び方法に関する。
【背景技術】
【０００２】
図３は、従来の有線電話機と無線電話機と間の着信転送方法を説明する図面である。ユーザが宅内にいれば、有線電話機３１に着信させ、外出時には無線電話機３２に着信されるように転送設定して置く。それにより、外部電話機から有線電話機３１を呼出す時、着信転送機能が設定されていれば、交換機３３は自動に無線電話機３２を呼出して外部電話機と通話可能にする。
【０００３】
従来の技術によれば、着信転送機能のある電話機（図３では、有線電話機３１）のみにより自動転送要求及び着信転送用電話番号の設定が可能であった。したがって、図３の例で、もしユーザが外出する時に無線電話機への着信転送を設定していなければ、外出したユーザは有線電話機にかけられる電話を受けられない問題点があった。
【発明の開示】
【発明が解決しようとする課題】
【０００４】
本発明が解決しようとする技術的課題は、ユーザが遠隔地でも着信転送用電話番号の変更が可能な着信転送設定機能を有する通話装置及び着信転送方法を提供することである。
【課題を解決するための手段】
【０００５】
前記課題を達成するための本発明による着信転送設定機能を有する通話装置は、着信転送される電話番号及びユーザパスワードを保存するメモリと、外部電話機から受信された番号を認識するＤＴＭＦ認識部と、自動着信機能によって電話に応答し、発信者にパスワードの入力を要求して前記発信者から受信されたパスワードが前記メモリに保存されたものと同じであるかを確認した後、前記発信者から着信転送される電話番号を受信して前記メモリに保存する制御部と、前記メモリに保存された着信転送用電話番号と共に着信転送要求信号を交換機に出力する着信転送部と、を含む。
【０００６】
前記課題を達成するための本発明による着信転送方法は、外部電話機からの呼出しによって自動着信機能によって電話に応答する段階と、発信者が正当なユーザであるかを確認する段階と、前記発信者から着信転送される電話番号を受信する段階と、前記受信した着信転送用電話番号と共に着信転送要求信号を交換機に出力する段階と、を含む。
【発明の効果】
【０００７】
従来には、着信転送機能のある電話機でその機能を予め設定しておいて初めて着信転送が可能であったが、本発明では、任意の電話機を通じてユーザが必要な電話番号への着信転送設定を可能とすることにより、着信転送機能を利用する加入者はどの地域、どの電話機でも着信転送用番号を任意に変更できるので、自分にかけられる全ての電話をどこでも受けられる。
【０００８】
そして、従来には着信転送機能が設定された電話機に電話がかけられた場合、一定時間ベルが鳴れば、予め設定された着信転送用番号への着信転送が行われるが、本発明によれば、加入者が外出先などで任意かつ選択的に着信転送される電話番号を便利で早く設定または変更できる。
【発明を実施するための最良の形態】
【０００９】
以下で、図面を参照して、本発明の実施形態について詳細に説明する。  
図１は、本発明の一実施形態による電話システムの構成図を表す。自動着信転送機能のある第１の電話機１０及び着信転送用に設定された第２の電話機２０を含み、第１の電話機１０によって第２の電話機２０への着信転送要求が設定されている場合、交換機３０は、外部発信者からの第１の電話機１０への着信信号を受信すれば、これを第２の電話機２０に自動的に着信転送させる。また、本発明の実施形態によれば、遠隔地にある任意の第３の電話機４０を通じても第１の電話機１０に受信される着信を第２の電話機２０または任意の他の電話機に転換させることができる。
【００１０】
ここで、第１、２、及び３の電話機１０，２０，及び４０は、有線または無線通信が可能な電話機または端末機であり、図１では、第１の電話機１０に着信転送機能があることを前提としたが、第２の電話機２０または第１の電話機１０及び第２の電話機２０の全てに着信転送機能があることもある。
【００１１】
まず、第１の電話機１０と第２の電話機２０との間の着信転送方法を以下に説明する。着信転送機能のある第１の電話機１０は、不在時に着信転送される第２の電話機２０の電話番号が保存されているメモリ１３、電話番号を入力して機能を設定するためのダイヤル部１１、ダイヤル部１１から着信転送のような命令信号、発信電話番号などを入力され、メモリ１３に保存された内容を読込む制御部１２、及び制御部１２の制御によって着信転送信号を交換機３０に出力する着信転送部１４を含む。
【００１２】
ここで、着信転送信号は、電話会社で約定した信号であって、着信転送用の数字または文字（＊または＃）＋着信転送される電話機の電話番号で構成されうる。例えば、着信転送は「＊８８＋電話番号＋＊」であり、着信解除は「＃８８＊」である。
【００１３】
したがって、ユーザがダイヤル部１１を通じて着信転送機能の設定を命令すれば、制御部１２は着信転送モードを設定し、メモリ１３に保存された着信転送用第２電話機２０の電話番号を読込んで着信転送部１４に出力する。着信転送部１４は、着信転送信号を交換機３０に伝達する。これにより、発信者が第１の電話機１０に着信を要求すれば、交換機３０は第２の電話機２０に着信させる。
【００１４】
次いで、任意の第３の電話機４０によって着信転送するための構成について説明する。
図１で、遠隔地にある任意の第３の電話機４０によって着信転送機能の設定を行うために、第１の電話機１０は、着信転送される電話番号及びユーザパスワードを保存するメモリ１３、自動着信機能によって電話に応答し、発信者にパスワードの入力を要求して発信者から受信されたパスワードがメモリに保存されたものと同じであるかを確認した後、発信者から着信転送される電話番号を受信してメモリ１３に保存する制御部１２及びメモリ１３に保存された着信転送用電話番号と共に着信転送要求信号を交換機３０に出力する着信転送部１４を含む。ＤＴＭＦ認識部１６は、外部の第３の電話機４０から受信された電話番号を認識し、これを制御部１２に提供する。
【００１５】
図２は、本発明により第３の電話機４０からの呼出しによって第１の電話機１０で着信転送機能の設定がなされる過程を説明するフローチャートである。
【００１６】
任意の第３の電話機４０から第１の電話機１０に電話をかけた時（２２）、自動着信機能を有する第１の電話機１０は、一定時間が経過しても電話に応答しない場合に自動着信機能が動作する（２３）。一方、第１の電話機１０は、着信転送電話番号の変更が可能になるように動作状態をあらかじめ設定しておくことが可能である。
【００１７】
第３の電話機４０によって着信転送用電話番号を変更するモードを実行する場合、第１の電話機１０は、発信者にパスワードの入力を要求することが望ましい（２４）。パスワードを入力することは、発信者が第１の電話機１０の正当なユーザであるか否かを確認する過程であって、もし、このようなユーザ認証過程がなければ、任意の第３者が自身の電話機に対して任意の他の電話番号に着信転送することもあるため、これを防止するためである。
【００１８】
第３の電話機４０で入力されたパスワードが第１の電話機１０に保存されたものと同じであれば（２５）、第１の電話機１０は、発信者に着信転送しようとする電話番号の入力を要求する。第３の電話機４０で着信転送用電話番号に該当する数字と共に入力終了表示子（例えば、＊）を押せば、第１の電話機１０は、第３の電話機４０から入力された電話番号を認識し、これをメモリ１３に保存する（２６）。電話番号の認識は、交換機３０または第１の電話機１０のＤＴＭＦ認識器１６で行われうる。このような過程によって設定される着信転送用電話機は、第２の電話機２０または第３の電話機４０であるか、またはそれ以外の任意の他の電話機でありうる。
【００１９】
第１の電話機１０の着信転送部１４は、着信転送要求信号と共に第３の電話機４０から受信された着信転送用電話番号に基づいて着信転送信号（例：＊８８＋電話番号＊）を生成し、これを交換機３０に自動に伝送し、以降、第１の電話機１０に着信が要求される時、交換機３０は、着信転送用に設定された電話機への着信転送が自動的になされるようにする（２７）。
【００２０】
第１の電話機１０のメモリ１３は、第３の電話機４０から着信転送要請を受ける時に発信者を確認するためのパスワードを保存し、パスワードや電話番号の入力を要求する時に使用するメッセージを保存する。
【００２１】
遠隔地で着信転送の設定を要求する電話機としては、第２の電話機２０も使用され、第２の電話機２０で第１の電話機１０に着信転送の変更を要請しつつ、第２の電話機２０に自動転送されるように要求する場合には、メモリ１３に予め保存された電話番号を直接利用できる。また、第３の電話機４０で着信転送を要請しつつ第２の電話機２０への自動転換を設定する時にもメモリ１３に予め保存された電話番号を直接利用できる。一方、第１の電話機１０が発信者電話番号の表示機能を有する場合、すなわち、第１の電話機１０で第３の電話機４０の電話番号が認識でき、第３の電話機４０に自動転送を設定しようとする場合にも、別途の電話番号の入力なしに第１の電話機１０で獲得した電話番号をそのまま使用できる。
【００２２】
以上で、第３の電話機４０で第１の電話機１０を通じて着信転送設定を行う例を説明したが、第１の電話機１０と相互着信転送できるように基本的に設定されている第２の電話機２０を通じても、前述したような第３の電話機４０によって他の電話番号で自動着信転送を設定する機能が行えるように構成されうる。すなわち、もし、第１の電話機１０から第２の電話機２０へ自動転送するように設定しておいた場合、第３の電話機４０で第１の電話機１０を呼出せば、第２の電話機２０と通話接続される。この時、第３の電話機４０は、第１の電話機１０の代りに第２の電話機２０を通じて他の電話機への着信転送の設定のための過程を行える。
【００２３】
本発明はまた、コンピュータ可読記録媒体にコンピュータ可読コードとして具現することが可能である。コンピュータ可読記録媒体は、コンピュータシステムによって読出されるデータが保存される全ての種類の記録装置を含む。コンピュータ可読記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）状に具現されるものも含む。また、コンピュータ可読記録媒体は、ネットワークに連結されたコンピュータシステムに分散され、分散方式でコンピュータ可読コードが保存かつ実行されうる。
【００２４】
以上、図面及び明細書で最適の実施例が開示された。ここで、特定の用語が使われたが、これは単に本発明を説明するための目的で使われたものであり、意味限定や特許請求の範囲に記載された本発明の範囲を制限するために使われたものではない。したがって、当業者ならば、これから多様な変形及び均等な他の実施例が可能であることが分かる。したがって、本発明の真の技術的保護範囲は、特許請求の範囲の技術的思想によって決定されなければならない。
【産業上の利用可能性】
【００２５】
本発明の着信転送機能のための通話装置及び方法は、例えば、有線及び無線電話機に適用可能である。
【図面の簡単な説明】
【００２６】
【図１】本発明の一実施形態による電話システムの構成図である。
【図２】本発明による着信転送方法を説明するフローチャートである。
【図３】従来の有線電話機と無線電話機間の着信転送方法を説明する図面である。
【符号の説明】
【００２７】
１０    第１の電話機
１１    ダイヤル部
１２    制御部
１３    メモリ
１４    着信転送部
１６    ＤＴＭＦ認識部
２０    第２の電話機
３０    交換機
４０    第３の電話機
【図１】
2005167982.tif 000003
【図２】
2005167982.tif 000004
【図３】
2005167982.tif 000005